(57)【要約】【課題】撮影によって起こる機密情報の漏洩、著作権の侵害、肖像権の侵害、プライバシーの侵害を防ぐことができるカメラシステム等を提供する。【解決手段】撮影モード制御信号を受信し解読する制御信号検知部１０３を備え、撮影モード制御信号において、撮影画像が取得できなくする撮影禁止モードと、撮影画像の解像度を低解像度に制限する撮影解像度制限モードと、撮影画像を特定のキーによって暗号化を行い、復号キーを所有する相手にのみ復号可能とする撮影画像開示先限定モードと、撮影画像の利用に対してある一定額を課金する撮影画像課金モードとを設定可能とし、画像処理部１０１はカメラ部１０２からの画像を受けて各モードに応じた制御を行う。【選択図】  図１
2005323143.tif 000002
【特許請求の範囲】
【請求項１】
被写体を撮影して入力画像を出力するカメラ部と、前記入力画像を画像処理して撮影画像を出力する画像処理部とを備え、前記撮影画像は記憶装置に記憶可能なカメラシステムであって、
撮影モード信号発生機から送信される、撮影モードを指定する撮影モード制御信号を受信して前記撮影モードを解読する制御信号検知部を有し、
前記画像処理部は、前記制御信号検知部における受信解読結果に応じて、前記入力画像の処理を行うことを特徴とするカメラシステム。
【請求項２】
撮影モード制御信号は、撮影モードフラグと暗号化キー部を含み、前記撮影モードフラグが、特定の許可を受ける場合のみ撮影が許可される撮影画像開示先限定モードを示すとき、前記画像処理部は前記暗号化キー部で定義される秘密かぎを用いて前記入力画像を暗号化処理する請求項１記載のカメラシステム。
【請求項３】
撮影モード制御信号は、撮影モードフラグと解像度制御フラグを含み、前記撮影モードフラグが、解像度を制限して入力画像を撮影する撮影解像度制限モードを示す場合、前記画像処理部は前記解像度制御フラグで指定される解像度となるよう信号処理を行う請求項１記載のカメラシステム。
【請求項４】
撮影モード制御信号は、撮影モードフラグを含み、前記撮影モードフラグが、撮影を許可された場合にのみ撮影が可能となる撮影禁止モードである場合で撮影が許可されていないとき、画像処理部は記憶装置への記憶を行わない請求項１記載のカメラシステム。
【請求項５】
撮影モード制御信号は、課金条件フラグと課金情報部をさらに含み、
前記撮影モードフラグが、記憶装置に記憶した撮影画像を撮影するためには課金する必要があることを示す撮影画像課金モードであるとき、画像処理部は暗号化キー部で定義される秘密かぎを用いて入力画像を暗号化処理し、
前記課金条件フラグにおいて課金条件が有効であることを示すとき、前記課金情報部から抽出される課金情報を撮影画像に付加して、前記記憶装置に撮影画像データとして記憶する請求項２記載のカメラシステム。
【請求項６】
撮影モード制御信号が、無線で供給される請求項１から請求項５のいずれか１項記載のカメラシステム。
【請求項７】
請求項５記載のカメラシステムにおける撮影画像データを印刷する印刷装置を有するプリント装置であって、
前記撮影画像データから課金情報を抽出する課金情報抽出部と、
抽出された前記課金情報を解析し、解析結果を基に所定のデータベースに問い合わせを行い、問い合わせ結果に応じて、料金の支払い手続きおよび復号キーの入手を行う課金情報通信部と、
前記課金情報通信部にて取得された前記復号キーを用いて、暗号化された入力画像の復号を行う復号部とを備え、
前記復号部にて復号された画像を前記印刷装置により印刷するプリント装置。
【請求項８】
課金情報通信部は、データベースへの前記問い合わせを公衆回線を通じて行う請求項７記載のプリント装置。
【請求項９】
課金情報抽出部に入力される前記撮影画像データは、公衆回線を通じて入力される請求項７または請求項８記載のプリント装置。
【請求項１０】
復号部で復号された画像データを記憶する公開ディレクトリをさらに備え、前記公開ディレクトリは公衆回線を通じてアクセス可能である請求項８または請求項９記載のプリント装置。
【請求項１１】
請求項２記載のカメラシステムを用いたカメラ制御方法であって、撮影するモードを指定する前記撮影モードフラグが、特定の許可を受ける場合のみ撮影が許可される撮影画像開示先限定モードを示すか否かを判定するステップと、前記撮影モードフラグが前記撮影画像開示先限定モードを示すとき、暗号化キー部で定義される秘密かぎを用いて入力画像を暗号化処理するステップとを含むカメラ制御方法。
【請求項１２】
請求項３記載のカメラシステムを用いたカメラ制御方法であって、撮影するモードを指定する前記撮影モードフラグが、解像度を制限して入力画像を撮影する撮影解像度制限モードを示すか否かを判定するステップと、前記撮影モードフラグが前記撮影解像度制限モードを示すとき、前記解像度制御フラグで指定される解像度となるよう信号処理を行うステップとを含むカメラ制御方法。
【請求項１３】
請求項４記載のカメラシステムを用いたカメラ制御方法であって、撮影するモードを指定する前記撮影モードフラグが、撮影を許可された場合にのみ撮影が可能となる撮影禁止モードであるか否かを判定するステップを含み、前記撮影禁止モードであるとき、記憶装置への記憶を行わずに処理を中止するカメラ制御方法。
【請求項１４】
請求項５記載のカメラシステムを用いたカメラ制御方法であって、
撮影するモードを指定する撮影モードフラグが、記憶装置に記憶した撮影画像を撮影するためには課金する必要があることを示す撮影画像課金モードであるか否かを判定するステップと、
撮影画像課金モードである場合に、前記暗号化キー部で定義される秘密かぎを用いて前記入力画像を暗号化処理するステップと、
課金条件フラグにおいて課金条件が有効であることを示すとき、課金情報部から抽出される課金情報を撮影画像に付加して、前記記憶装置に撮影画像データとして記憶するステップを含むカメラ制御方法。
【請求項１５】
請求項７記載のプリント装置を用いたプリント装置制御方法であって、
撮影画像データから課金情報を抽出する課金情報抽出ステップと、
抽出された前記課金情報を解析し、解析結果を基に所定のデータベースに問い合わせを行い、問い合わせ結果に応じて、料金の支払い手続きおよび復号キーの入手を行うステップと、
前記復号キーを用いて、暗号化された入力画像の復号を行う復号ステップとを含むプリント装置制御方法。
【請求項１６】
請求項５記載のカメラシステムを用いた画像開示方法であって、
撮影画像から課金情報を抽出するステップと、課金条件が課金モードであるか否かを判別するステップと、課金対象である場合に料金徴収者サーバへ問い合わせを行うステップと、抽出された課金情報に含まれる価格情報に基づき料金の支払い処理を行うステップと、公衆回線より復号キーを入手するステップと、入手した復号キーを用いて画像を復号するステップとを含む画像開示方法。
【発明の詳細な説明】
【技術分野】
【０００１】
この発明は、カメラシステム、プリント装置、カメラ制御方法、プリント装置制御方法および画像開示方法に関するものである。
【０００２】
より詳細には、撮影に対して保護されるべき撮影対象が存在する場所に撮影モード信号発生機を設置し、上記撮影モード信号発生機から撮影禁止モード、撮影解像度制限モード、撮影画像開示先限定モード、撮影画像課金モード等の複数のモードに該当する信号を送信する。それらの信号を受信することで撮影モードを変更することによって、機密情報の漏洩、著作権の侵害、肖像権の侵害、プライバシーの侵害といった問題を防ぐことができるようにするカメラシステム、プリント装置、カメラ制御方法、プリント装置制御方法および画像開示方法に関するものである。
【背景技術】
【０００３】
近年カメラシステムの小型化・軽量化・高画質化が進み携帯性が向上したために場所に拘らず、高画質な画像の取得が可能となっている。またネットワーク基盤の充実や通信技術の発達により、撮影された画像情報の配信および２次利用を自由に行うことができる。このような状況においては、カメラで撮影されて被写体となる人物、所有者の意思は全く反映されないため、機密情報の漏洩、著作権の侵害、肖像権の侵害、プライバシーの侵害といった課題がある。
【０００４】
これらの課題に対して、撮影された画像中から予め記憶されているマーカーの形状と類似する形状のマーカー領域を検知し、検知したマーカー領域をもとに画像中の保護領域を抽出し、抽出した保護領域に対してモザイク処理を行うことでプライバシーの保護を図るような発明が開示されている（例えば、特許文献１参照）。
【特許文献１】特開２０００−２７８５８４号公報
【発明の開示】
【発明が解決しようとする課題】
【０００５】
しかしながら、従来のカメラシステムにおいては、撮影できない領域の検知のために特定のマーカーの形状が必要であるが、この形状は予めカメラシステム側にマーカーの形状を記憶させる必要があった。
【０００６】
また、マーカーの形状を検知することで撮影できない領域を認識するカメラシステムでは、被写体に含まれるマーカー部分を撮影者が隠して撮影した場合には、マーカーの形状を検知することができないために被写体の意図に反して撮影が可能となるので被写体が保護されない。
【０００７】
さらに従来のカメラシステムにおいては、撮影できない領域を検知した場合には保護領域を抽出し、抽出した保護領域に対して一律に画像処理を施してしまうために、特定の人に対しての開示や２次利用の制限、撮影画像に対する課金等の撮影画像の利用ができない。
【０００８】
この発明は、上記の問題点を解決するためになされたもので、マーカーを使用することなく被写体となるものの意思等で、撮影画像に撮影画像の利用に対して制限をかける情報を付加することができ、被写体の保護または特定対象への開示、および撮影画像の利用に対する課金等の新しい手段を提供することが可能なカメラシステム、プリント装置、カメラ制御方法、プリント装置制御方法および画像開示方法を提供することを目的とする。
【課題を解決するための手段】
【０００９】
上記の目的を達成するために、撮影モード信号発生機をカメラシステムの撮影を制限する場所に設置する。撮影モード信号発生機は撮影モードを制御する撮影モード制御信号を発生する。撮影モード制御信号は、カメラシステムが通常撮影モードから撮影しても撮影画像が取得できなくする撮影禁止モードに切替えられるようにする撮影禁止モード信号と、撮影画像の解像度を低解像度に制限する撮影解像度制限モードに切替えられるようにする撮影解像度制限モード信号と、撮影画像を特定のキーによって暗号化を行い、復号キーを所有する相手にのみ復号可能とする撮影画像開示先限定モードに切替えられるようにする開示先限定モード信号と、撮影画像の利用に対してある一定額を課金する撮影画像課金モードに切替えられるようにする撮影画像課金モード信号等が含まれる。カメラシステム等は、撮影モード信号発生機から送信された撮影モード制御信号を受信すると、受信されたモード信号に該当する動作を行う。
【００１０】
すなわち、この発明のカメラシステムは、被写体を撮影して入力画像を出力するカメラ部と、前記入力画像を画像処理して撮影画像を出力する画像処理部とを備えたカメラシステムであって、
撮影モード信号発生機から送信される、撮影モードを指定する撮影モード制御信号を受信して前記撮影モードを解読する制御信号検知部を有し、
前記画像処理部は、前記制御信号検知部における受信解読結果に応じて、前記入力画像の処理を行うことを特徴とするものである。
【００１１】
上記構成において、撮影モード制御信号は、撮影モードフラグと暗号化キー部を含み、前記撮影モードフラグが、特定の許可を受ける場合のみ撮影が許可される撮影画像開示先限定モードを示すとき、前記画像処理部は前記暗号化キー部で定義される秘密かぎを用いて前記入力画像を暗号化処理する。
【００１２】
上記構成において、撮影モード制御信号は、撮影モードフラグと解像度制御フラグを含み、前記撮影モードフラグが、解像度を制限して入力画像を撮影する撮影解像度制限モードを示す場合、前記画像処理部は前記解像度制御フラグで指定される解像度となるよう信号処理を行う。
【００１３】
上記構成において、撮影モード制御信号は、撮影モードフラグを含み、前記撮影モードフラグが、撮影を許可された場合にのみ撮影が可能となる撮影禁止モードである場合で撮影が許可されていないとき、画像処理部は画像出力を行わない。
【００１４】
上記構成において、撮影モード制御信号は、課金条件フラグと課金情報部をさらに含み、
前記撮影モードフラグが、記憶装置に記憶した撮影画像を撮影するためには課金する必要があることを示す撮影画像課金モードであるとき、画像処理部は暗号化キー部で定義される秘密かぎを用いて入力画像を暗号化処理し、
前記課金条件フラグにおいて課金条件が有効であることを示すとき、前記課金情報部から抽出される課金情報を撮影画像に付加して、前記記憶装置に撮影画像データとして記憶する。
【００１５】
上記構成において、撮影モード制御信号が、無線で供給される。
【００１６】
この発明のプリント装置は、上記構成のカメラシステムにおける撮影画像データを印刷する印刷装置を有するプリント装置であって、
前記撮影画像データから課金情報を抽出する課金情報抽出部と、
抽出された前記課金情報を解析し、解析結果を基に所定のデータベースに問い合わせを行い、問い合わせ結果に応じて、料金の支払い手続きおよび復号キーの入手を行う課金情報通信部と、
前記課金情報通信部にて取得された前記復号キーを用いて、暗号化された入力画像の復号を行う復号部とを備え、
前記復号部にて復号された画像を前記印刷装置により印刷する。
【００１７】
上記構成において、課金情報通信部は、データベースへの前記問い合わせを公衆回線を通じて行う。
【００１８】
上記構成において、課金情報抽出部に入力される前記撮影画像データは、公衆回線を通じて入力される。
【００１９】
上記構成において、復号部で復号された画像データを記憶する公開ディレクトリをさらに備え、前記公開ディレクトリは公衆回線を通じてアクセス可能である。
【００２０】
この発明のカメラ制御方法は、請求項２記載のカメラシステムを用いたカメラ制御方法であって、撮影するモードを指定する前記撮影モードフラグが、特定の許可を受ける場合のみ撮影が許可される撮影画像開示先限定モードを示すか否かを判定するステップと、前記撮影モードフラグが前記撮影画像開示先限定モードを示すとき、暗号化キー部で定義される秘密かぎを用いて入力画像を暗号化処理するステップとを含むものである。
【００２１】
この発明の別のカメラ制御方法は、請求項３記載のカメラシステムを用いたカメラ制御方法であって、撮影するモードを指定する前記撮影モードフラグが、解像度を制限して入力画像を撮影する撮影解像度制限モードを示すか否かを判定するステップと、前記撮影モードフラグが前記撮影解像度制限モードを示すとき、前記解像度制御フラグで指定される解像度となるよう信号処理を行うステップとを含むものである。
【００２２】
この発明の別のカメラ制御方法は、請求項４記載のカメラシステムを用いたカメラ制御方法であって、撮影するモードを指定する前記撮影モードフラグが、撮影を許可された場合にのみ撮影が可能となる撮影禁止モードであるか否かを判定するステップを含み、前記撮影禁止モードであるとき、記憶装置への記憶を行わずに処理を中止するものである。
【００２３】
この発明の別のカメラ制御方法は、請求項５記載のカメラシステムを用いたカメラ制御方法であって、
撮影するモードを指定する撮影モードフラグが、記憶装置に記憶した撮影画像を撮影するためには課金する必要があることを示す撮影画像課金モードであるか否かを判定するステップと、
撮影画像課金モードである場合に、前記暗号化キー部で定義される秘密かぎを用いて前記入力画像を暗号化処理するステップと、
課金条件フラグにおいて課金条件が有効であることを示すとき、課金情報部から抽出される課金情報を撮影画像に付加して、前記記憶装置に撮影画像データとして記憶するステップを含むものである。
【００２４】
この発明のプリント装置制御方法は、請求項７記載のプリント装置を用いたプリント装置制御方法であって、
撮影画像データから課金情報を抽出する課金情報抽出ステップと、
抽出された前記課金情報を解析し、解析結果を基に所定のデータベースに問い合わせを行い、問い合わせ結果に応じて、料金の支払い手続きおよび復号キーの入手を行うステップと、
前記復号キーを用いて、暗号化された入力画像の復号を行う復号ステップとを含むものである。
【００２５】
この発明の画像開示方法は、請求項５記載のカメラシステムを用いた画像開示方法であって、
撮影画像から課金情報を抽出するステップと、課金条件が課金モードであるか否かを判別するステップと、課金対象である場合に料金徴収者サーバへ問い合わせを行うステップと、抽出された課金情報に含まれる価格情報に基づき料金の支払い処理を行うステップと、公衆回線より復号キーを入手するステップと、入手した復号キーを用いて画像を復号するステップとを含む。
【発明の効果】
【００２６】
この発明は、カメラシステムでの撮影において撮影モードを切替えることで、機密情報の漏洩、著作権の侵害、肖像権の侵害、プライバシーの侵害といった問題を解決し、また、撮影画像に撮影画像の利用に対して制限をかける情報を付加することで、撮影画像の特定対象への開示、撮影画像の利用に対する課金等の新しい手段を提案することができる。
【発明を実施するための最良の形態】
【００２７】
以下本発明の実施の形態について図面を参照して説明する。なお、図中同一符号は同一の、または相当する部材を示す。
【００２８】
（第１の実施の形態）
まず、本発明の概要を説明する。本発明はカメラシステムの撮影モードを自動的に切替えることにより、被写体およびその所有者の意図するセキュリティレベルを保証するものである。本実施形態ではカメラシステムとしてデジタルカメラを想定しているが、カメラシステムはデジタルカメラに限らず、画像データをデジタルデータとして一時保存または保存する手段と、保存された画像データを出力する手段を要するものでありデジタルカメラに限定するものではない。
【００２９】
図１は、本発明の実施形態の１つにおけるカメラシステムの概略構成を示すブロック図である。カメラシステム１００は、被写体１２０を撮影するためのカメラ部１０２と、撮影モード制御信号を受信し解読する制御信号検知部１０３と、制御信号検知部１０３で解読された撮影モード制御信号をもとにカメラ部１０２より入力された画像データを処理する画像処理部１０１と、画像処理された撮影画像データを保存する記憶装置１１０とのインターフェースとを含む。
【００３０】
カメラ部１０２は、光学レンズとＣＣＤセンサ等の光電変換素子等から構成される。カメラ部１０２で撮影された画像は光電変換素子により電気信号に変換されて画像処理部１０１へ送信される。
【００３１】
図２は、本発明の実施形態の１つにおける撮影モード信号発生機の概略構成を示すブロック図である。撮影モード信号発生機２００は、撮影禁止モード、撮影解像度制限モード、撮影画像開示先限定モード、撮影画像課金モード等の複数のモードに該当する情報を記憶させる制御情報記憶装置２０１と、制御情報記憶装置２０１に記憶されている情報を元に各モードに該当する電気信号パターンを発生する制御信号発生部２０２と、制御信号発生部２０２にて発生した電気信号パターンを撮影モード制御信号として送信する送信部２０３とを含む。
【００３２】
図３は、本発明の実施形態の１つにおける撮影モードを制御する場合のカメラシステム１００および撮影モード信号発生機２００および被写体１２０の位置関係を示す。撮影モード信号発生装置２００は被写体１２０およびカメラシステム１００の含まれる領域の見渡しの良い位置に設置され、撮影モード信号発生機２００から発生される撮影モード制御信号がカメラシステム１００で受信可能な位置関係に設置される。
【００３３】
次に、カメラシステム１００で行われる撮影処理について説明する。図４はカメラシステム１００で行われる撮影モード制御処理の流れを示すフロー図である。撮影処理は、カメラ部１０２で撮影された画像を入力するステップ（Ｓ０１）と、制御信号検知部１０３で撮影モード制御信号を受信し解読するステップ（Ｓ０２）と、撮影画像開示先モード処理を行うステップ（Ｓ０３、Ｓ１１、Ｓ１２）と、撮影解像度制限モード処理を行うステップ（Ｓ０４、Ｓ２１、Ｓ２２）と、撮影禁止モード処理を行うステップ（Ｓ０５）と、撮影モード制御信号が存在しなかった場合に画像出力を行うステップ（Ｓ０６）とを含む。
【００３４】
ステップＳ０１においては、カメラ部１０２で撮影された画像が入力される。入力される画像は、静止画像でも動画像でもどちらでも良い。
【００３５】
ステップＳ０２においては、撮影モード信号発生機２００から送信された撮影モード制御信号を制御信号検知部１０３で受信し、撮影モードの解読を行う。撮影モード制御信号は、可視光、赤外光、紫外光のような光、電波、磁波、音波を用いることができる。
【００３６】
ステップＳ０３においては、撮影モードが撮影画像開示先限定モードであることを判別し、もし撮影画像開示先限定モードである場合はステップＳ１１、Ｓ１２の処理を行う。
【００３７】
ステップＳ１１においては、撮影モード制御信号の中から暗号化キー情報を抽出する。
【００３８】
ステップＳ１２においては、ステップＳ１１で抽出された暗号化キーを用いて画像処理部１０１において撮影画像を暗号化し出力する。
【００３９】
ステップＳ０４においては、撮影モードが撮影解像度制限モードであることを判別し、もし撮影解像度制限モードである場合はステップＳ２１、Ｓ２２の処理を行う。
【００４０】
ステップＳ２１においては、撮影モード制御信号の中から解像度制限情報を抽出する。
【００４１】
ステップＳ２２においては、ステップＳ２１で抽出された解像度制限情報を用いて画像処理部１０１において撮影画像の解像度を制限された解像度に変更し撮影画像を出力する。
【００４２】
ステップＳ０５においては、撮影モードが撮影禁止モードであることを判別し、もし撮影禁止モードである場合は画像を出力せずに終了する。
【００４３】
ステップＳ０６においては、撮影モード制御信号がない場合に該当するため、通常の画像出力処理を画像処理部１０１で行う。
【００４４】
次に、撮影モード信号発生機２００から送信される撮影モード制御信号の構成について説明する。図５は撮影モード信号発生機２００から送信される撮影モード制御信号３００である。撮影モード制御信号３００は、例えば６４ビットの容量を持っており、先頭の２ビットのデータは撮影モードフラグ３０１、次の２ビットのデータは解像度制御フラグ３０２、次の６０ビットのデータは暗号化キー部３０３がそれぞれ含まれる。
【００４５】
撮影モードフラグ３０１は、撮影禁止モード、撮影解像度制限モード、撮影画像開示先限定モードなどを区別するために用いられ、データが００の時は撮影禁止モード、０１の時は撮影解像度制限モード、１０の時は撮影画像開示先限定モードを表すようにする。
【００４６】
また、解像度制御フラグ３０２は、撮影解像度制限モード時に有効であり画像処理部１０１で出力される画像の解像度を決定するために用いられ、データが００の時は６４０ピクセル×４８０ピクセル、０１の時は３２０ピクセル×２４０ピクセル、１０の時は１６０ピクセル×１２０ピクセル、１１の時は８０ピクセル×６０ピクセルに解像度を変更することを表す。
【００４７】
暗号化キー部３０３は、撮影画像開示先限定モードの場合に有効であり、６０ビットの秘密かぎ情報を含む。撮影画像閲覧時はこの秘密かぎに対応する公開かぎが必要である。
【００４８】
図１で示すカメラシステムにおいて、撮影モード制御信号が可視光、赤外光、紫外光のような光の場合においては、撮影モード制御信号を受信する部分はカメラ部１０２を構成するＣＣＤセンサ等の光電変換素子を兼用することが可能である。この場合においてはカメラ部１０２で受信された撮影モード制御信号は制御信号検知部１０３に送信され、内容の解読が行われる。
【００４９】
尚、以上の説明において、撮影禁止モード、撮影解像度制限モード、撮影画像開示先限定モードをすべて含む場合について説明してきたが、どれか１つのモードを備えていれば、本発明は成立することは言うまでも無い。
【００５０】
（第２の実施の形態）
次に、第２の実施の形態における概要を説明する。本発明はカメラシステムにて撮影された撮影画像の利用に関して、料金を徴収する方法に関するものである。以下、本発明の実施の形態の１つについて図面に基づいて詳細に説明する。
【００５１】
図６は第１の実施の形態で説明した撮影モード信号発生機２００から送信される撮影モード制御信号３００に対して、課金情報を追加した課金情報付き撮影モード制御信号３５０である。課金情報付き撮影モード制御信号３５０は、例えば１２８ビットの容量を持っており、第１の実施の形態における撮影モード制御信号３００に、課金条件フラグ３０４と、課金情報部すなわち、料金徴収者情報部３０５および価格情報部３０６を追加した構成となっている。第２の実施の形態における課金情報付き撮影モード制御信号３５０は追加した以外の情報については第１の実施の形態における撮影モード制御信号３００と同様である。撮影モードフラグ３０１のデータが「１１」のとき、撮影画像課金モードを表す。第１の実施の形態における撮影モード制御信号３００と同様の部分については、詳細な説明は割愛する。
【００５２】
図６における課金条件フラグ３０４は２ビットのデータであり、撮影画像課金モードの場合に有効であり、課金条件を区別するために用いられ、データが００の時はデジタルプリントサービス使用時に課金、データが０１の時はＷＷＷサーバ掲載時に課金、データが１０の時は閲覧時に課金することを表す。
【００５３】
図６における料金徴収者情報部３０５は５０ビットのデータであり、撮影画像課金モードの場合に有効であり、料金を徴収する個人および事業者の情報および料金徴収のための手続きについての情報を含む。
【００５４】
図６における価格情報部３０６は１２ビットのデータであり、撮影画像課金モードの場合に有効であり、撮影画像の利用に対する料金の情報を含む。
【００５５】
次に、第２の実施の形態におけるカメラシステム１００で行われる撮影処理について説明する。図７はカメラシステム１００で行われる撮影モード制御処理の流れを示すフロー図である。第２の実施の形態においては、第1の実施の形態に対してカメラシステム１００で行われる撮影モード制御処理の中で撮影画像課金モード処理を行うステップ（Ｓ０７、Ｓ３１、Ｓ３２、Ｓ３３）が追加されており、その他の処理については第１の実施の形態と同様である（図４参照）。第１の実施の形態におけるカメラシステム１００で行われる撮影処理と同様の部分については、ここでの説明は繰り返さない。
【００５６】
ステップＳ０７においては、上記課金情報付き撮影モード制御信号３５０の撮影モードフラグ３０１のデータが１１である撮影画像課金モードであることを判別し、もし撮影画像課金モードである場合はステップＳ３１、Ｓ３２、Ｓ３３の処理を行う。
【００５７】
ステップＳ３１においては、上記課金情報付き撮影モード制御信号３５０の暗号化キー部３０３から暗号化キー情報を抽出する。
【００５８】
ステップＳ３２においては、上記課金情報付き撮影モード制御信号３５０の課金条件フラグ３０４から課金条件を抽出し、また、料金徴収者情報部３０５から料金を徴収する個人および事業者の情報および料金徴収のための手続きについての情報を抽出し、最後に価格情報部３０６から撮影画像の利用に対する料金の情報を抽出する。
【００５９】
ステップＳ３３においては、ステップＳ３１で抽出された暗号化キーを用いて画像データの暗号化を行い、ステップＳ３２で抽出された課金条件、料金を徴収する個人および事業者の情報および料金徴収のための手続きについての情報、撮影画像の利用に対する料金の情報を撮影画像のヘッダー領域に付加し出力する。
【００６０】
次に上記課金情報付き撮影モード制御信号３５０により、撮影モードを撮影画像課金モードに制御されたカメラシステム１００による新しいシステムに関する第３から第５の実施の形態について説明する。
【００６１】
事業者は例えばテーマパークのような施設において、撮影モード信号発生機２００を設置し、課金情報付き撮影モード制御信号３５０を送信する。入場者がテーマパーク内においてカメラシステム１００を用いて撮影を行った場合、上記ステップＳ０７、Ｓ３１、Ｓ３２、Ｓ３３のフローを経て撮影画像に対し課金情報を添付する。入場者は上記撮影画像を利用する際に課金され、事業者はその撮影画像の利用に対して収入を得ることができる。
【００６２】
上記収入の得ることのできる撮影画像の利用形態は、デジタルプリントサービス使用時、ＷＷＷサーバ掲載時、または閲覧時に課金をしたりすることが想定される。
【００６３】
図８は、本発明の第３の実施形態におけるデジタルプリント装置４００の概略構成を示すブロック図である。デジタルプリント装置４００は撮影画像が記録された記憶装置４５０のインターフェースを備え、撮影画像データのヘッダー部から課金情報を抽出する課金情報抽出部４０１と、抽出された課金情報を解析し料金徴収者情報を元に公衆回線４１０を通じて料金徴収者のデータベースに問い合わせを行い、料金の支払い手続きおよび秘密かぎを複合する復号キーの入手を行う課金情報通信部４０２と、課金情報通信部４０２にて取得された復号キーを用いて画像データの復号を行う復号部４０３と、課金情報通信部４０２にて支払われた金額の出力を行う料金出力部４０４と、上記復号部４０３にて復号された画像を印刷し印刷画像４６０を出力する印刷装置４０５とを備える。ここで、記憶装置４５０は、第１の実施の形態における記憶装置１１０と同じものであっても良いし、それを複製などした別の記憶装置であっても良い。
【００６４】
図９は、本発明の第４の実施形態におけるＷＷＷサーバ５００の概略機能構成を示すブロック図である。ＷＷＷサーバ５００は、課金情報付き撮影画像を転送し、課金情報を抽出するアップロードディレクトリ５０１と、抽出された課金情報を解析し料金徴収者情報を元に公衆回線を通じて料金徴収者のデータベースに問い合わせを行い、料金の支払い手続きおよび復号キーの入手を行う課金情報通信機能５０２と、課金情報通信機能５０２によって取得された復号キーを用いて画像データの復号を行う復号処理機能５０３と、復号処理機能５０３によって復号された画像を保存する公開ディレクトリ５０４とを備え、公開ディレクトリ５０４に保存された画像ファイルを公衆回線５１０を媒介してＷＷＷサービス利用者に公開する機能を備える。
【００６５】
尚、図９のＷＷＷサーバ５００が備える公開ディレクトリ５０４を図８で説明した第３の実施の形態におけるデジタルプリント装置４００に備えることにしても良い。その場合、公開ディレクトリ５０４は復号部４０３によって復号された画像を印刷装置４０５と並列にまたは独立して保存することにすればよい。また、公開ディレクトリ５０４に保存された画像は、公衆回線４１０を通じて公開することが第４の実施の形態と同様に可能であるようにする。この場合、デジタルプリント装置４００は、デジタルプリント装置の機能とＷＷＷサーバとしての機能を複合した装置とすることが可能である。
【００６６】
図１０は、上記ＷＷＷサーバ５００による課金情報付き撮影画像の転送からＷＷＷサービスへの公開までの処理の流れを示すフロー図である。課金情報付き撮影画像をアップロードするステップＳ５１と、アップロードされた撮影画像から課金情報を抽出するステップＳ５２と、抽出された課金情報から課金対象であることを判別するステップＳ５３と、課金対象である場合は料金徴収者サーバへ問い合わせを行うステップＳ５４と、抽出された課金情報に含まれる価格情報に基づき料金の支払い処理を行うステップＳ５５と、公衆回線より復号キーを入手するステップＳ５６と、入手した復号キーを用いて画像を復号するステップＳ５７と、ＷＷＷサービス利用者に公開する為の公開ディレクトリに復号された画像を転送するステップＳ５８を含む。
【００６７】
図１１は、本発明の第５の実施形態における課金条件が撮影画像閲覧時の場合に画像を閲覧するまでの処理の流れを示すフロー図である。撮影画像から課金情報を抽出するステップＳ６１と、課金条件が撮影画像閲覧時課金モードであることを判別するステップＳ６２と、課金対象である場合は料金徴収者サーバへ問い合わせを行うステップＳ６３と、抽出された課金情報に含まれる価格情報に基づき料金の支払い処理を行うステップＳ６４と、公衆回線より復号キーを入手するステップＳ６５と、入手した復号キーを用いて画像を復号するステップＳ６６と、上記復号キーを用いて復号された画像ファイルを表示するステップＳ６７を含む。
【００６８】
上記第２の実施の形態において、事業者はテーマパーク等の施設において撮影モード信号発生機２００を設置し、撮影者がカメラシステム１００を利用して施設内において撮影を行うことで、課金情報が添付された撮影画像を取得し、上記デジタルプリント装置４００を用いたデジタルプリントサービスによる印刷、もしくは上記ＷＷＷサーバ５００への掲載、もしくは閲覧することに対して撮影者が価格情報に基づき料金を事業者に対して支払うことで収入を得ることができる。
【００６９】
なお、今回開示された実施の形態は全ての点で例示であって、制限的なものではないと考えられるべきである。本発明の範囲は上記した説明ではなくて、特許請求の範囲によって示され、特許請求の範囲と均等の意味および範囲内でのすべての変更が含まれることが意図される。
【産業上の利用可能性】
【００７０】
この発明にかかるカメラシステム、プリント装置、カメラ制御方法、プリント装置制御方法および画像開示方法は、カメラシステムでの撮影において撮影モードを切替えることで、機密情報の漏洩、著作権の侵害、肖像権の侵害、プライバシーの侵害といった問題を解決し、また、撮影画像に撮影画像の利用に対して制限をかける情報を付加することで、撮影画像の特定対象への開示、撮影画像の利用に対する課金等の新しい手段を提案することができる。さらにテーマパーク等の新たな料金徴収システム等の用途にも応用できる。以上から、カメラシステム、プリント装置、カメラ制御方法、プリント装置制御方法および画像開示方法等として有用である。
【図面の簡単な説明】
【００７１】
【図１】本発明の第１の実施の形態におけるカメラシステム１００の概略構成を示すブロック図である。
【図２】本発明の第１の実施の形態における撮影モード信号発生機２００の概略構成を示すブロック図である。
【図３】本発明の第１の実施形態における撮影モードを制御する場合のカメラシステム１００および撮影モード信号発生機２００および被写体１２０の位置関係を示す説明図である。
【図４】本発明の第１の実施形態におけるカメラシステム１００で行われる撮影モード制御処理の流れを示すフロー図である。
【図５】本発明の第１の実施形態における撮影モード信号発生機２００から送信される撮影モード制御信号の構成の説明図である。
【図６】本発明の第１の実施形態における撮影モード信号発生機２００から送信される課金情報付き撮影モード制御信号の構成の説明図である。
【図７】本発明の第２の実施形態におけるカメラシステム１００で行われる撮影モード制御処理の流れを示すフロー図である。
【図８】本発明の第３の実施形態におけるデジタルプリント装置４００の概略構成を示すブロック図である。
【図９】本発明の第４の実施形態におけるＷＷＷサーバ５００の概略機能構成を示すブロック図である。
【図１０】本発明の第４の実施形態におけるＷＷＷサーバ５００による課金情報付き撮影画像の転送からＷＷＷサービスへの公開までの処理の流れを示すフロー図である。
【図１１】本発明の第５の実施形態における課金条件が撮影画像閲覧時の場合に画像を閲覧するまでの処理の流れを示すフロー図である。
【符号の説明】
【００７２】
１００  カメラシステム
１０１  画像処理部
１０２  カメラ部
１０３  制御信号検知部
２００  撮影モード信号発生機
２０２  制御信号発生部
２０３  送信部
３００  撮影モード制御信号
３５０  課金情報付き撮影モード制御信号
４００  デジタルプリント装置
４０１  課金情報抽出部
４０２  課金情報通信部
４０３  復号部
４０４  料金出力部
４０５  印刷装置
４１０  公衆回線
４５０  記憶装置
４６０  印刷画像
５００  ＷＷＷサーバ
５０１  アップロードディレクトリ
５０２  課金情報通信機能
５０３  復号処理機能
５０４  公開ディレクトリ
５１０  公衆回線
【図１】
2005323143.tif 000003
【図２】
2005323143.tif 000004
【図３】
2005323143.tif 000005
【図４】
2005323143.tif 000006
【図５】
2005323143.tif 000007
【図６】
2005323143.tif 000008
【図７】
2005323143.tif 000009
【図８】
2005323143.tif 000010
【図９】
2005323143.tif 000011
【図１０】
2005323143.tif 000012
【図１１】
2005323143.tif 000013